(57)【特許請求の範囲】
【請求項１】
無線によりケーブルテレビサービス回線に接続可能な移動通信端末と、複数のサービスエリア内に設置されたＣＡＴＶ局にそれぞれ設けられ、前記移動通信端末にケーブルテレビジョンサービスに関するコンテンツの配信を行なう中継装置と、前記中継装置と通信を行うとともに前記中継装置を介して前記移動通信端末と通信を行なうセンター装置とを備え、
前記移動通信端末は、
前記中継装置に対してリクエスト情報およびユーザ情報を送信する端末側第１の送信手段と、
前記中継装置から中継位置識別情報を受け取ると、無線通信により前記中継装置に対してコンテンツ要求情報を送信する端末側第２の送信手段と、
前記中継装置から配信された前記コンテンツの利用履歴を記憶するメモリと、
前記センター装置より前記中継装置の接続局情報と前記ユーザ情報の問い合わせが行われると、前記センター装置に対して現在のサービスエリア内で割り振られている中継位置識別情報と利用履歴およびログインしている前記ユーザ情報を送信する端末側第３の送信手段とを備え、
前記中継装置は、
前記移動通信端末から前記コンテンツ要求情報を受信する中継装置側受信手段と、
前記移動通信端末にコンテンツを配信して、前記コンテンツの配信履歴を記憶するとともに、前記ＣＡＴＶ局との契約により前記ユーザ情報を記憶するサーバと、
前記リクエスト情報および前記ユーザ情報を受け付けると、前記中継位置識別情報を前記移動通信端末に送信し、前記移動通信端末から送られてきた前記ユーザ情報と前記サーバ内のユーザ情報とを比較し、この比較結果が有効であるか、または他のＣＡＴＶ局のユーザの識別情報が入力した場合に、前記センター装置に問い合わせて照合が成立すると前記中継位置識別情報を付与して自局のコンテンツを配信する中継装置側第１の送信手段と、
前記センター装置から前記コンテンツの配信履歴の問い合わせが行なわれると、前記サーバに記憶された前記配信履歴を前記センター装置に送信する中継装置側第２の送信手段とを備え、
前記センター装置は、
前記移動通信端末が受け取ったコンテンツの利用履歴を問い合わせるセンター装置側第１の送信手段と、
前記中継装置からのコンテンツの配信履歴を受信するセンター装置側第１の受信手段と、
前記移動通信端末にユーザ情報を問い合わせるセンター装置側第２の送信手段と、
前記ユーザ情報および前記移動通信端末が前記中継装置から割り振られている中継位置識別情報を受信するセンター装置側第２の受信手段と、
前記配信履歴を集計する集計サーバと、
前記配信履歴と前記利用履歴とを比較し、この比較結果に基づいて前記利用履歴および前記配信履歴に対する課金処理を行い、次いで、集計した前記利用履歴と中継局の前記配信履歴とのマッチング処理を行い、前記利用履歴と前記配信履歴が一致する場合には、配信した各ＣＡＴＶ局に利用したコンテンツに対する課金処理を行い、一致しない場合には、個別に配信履歴および利用履歴の確認を行って課金処理を行う課金手段とを備えたことを特徴とする通信端末認識システム。
【請求項２】
前記ユーザ情報は、ＩＣカードまたは磁気カードに書き込まれた個人情報であることを特徴とする請求項１に記載の移動通信端末認識システム。
【請求項３】
前記中継装置に対してリクエスト情報およびユーザ情報を送信する端末側第１の送信手段と、
前記中継装置から中継位置識別情報を受け取ると、無線通信により前記中継装置に対してコンテンツ要求情報を送信する端末側第２の送信手段と、
前記中継装置から配信された前記コンテンツの利用履歴を記憶するメモリと、
前記センター装置より前記中継装置の接続局情報と前記ユーザ情報の問い合わせに対し、前記センター装置に対して現在のサービスエリア内で割り振られている中継位置識別情報と利用履歴およびログインしている前記ユーザ情報を送信する端末側第３の送信手段とを備えたことを特徴とする請求項１または請求項２に記載の移動通信端末認識システムに用いる移動通信端末。
【請求項４】
前記移動通信端末から前記コンテンツ要求情報を受信する中継装置側受信手段と、
前記移動通信端末にコンテンツを配信して、前記コンテンツの配信履歴を記憶するとともに、前記ＣＡＴＶ局との契約により前記ユーザ情報を記憶するサーバと、
前記リクエスト情報および前記ユーザ情報を受け付けると、前記中継位置識別情報を前記移動通信端末に送信し、前記移動通信端末から送られてきた前記ユーザ情報と前記サーバ内のユーザ情報とを比較し、この比較結果が有効であるか、または他のＣＡＴＶ局のユーザの識別情報が入力した場合に、前記センター装置に問い合わせて照合が成立すると前記中継位置識別情報を付与して自局のコンテンツを配信する中継装置側第１の送信手段と、
前記センター装置から前記コンテンツの配信履歴の問い合わせが行なわれると、前記サーバに記憶された前記配信履歴を前記センター装置に送信する中継装置側第２の送信手段とを備えたことを特徴とする請求項１または請求項２に記載の移動通信端末認識システムに用いる中継装置。
【請求項５】
前記移動通信端末が受け取ったコンテンツの利用履歴を問い合わせるセンター装置側第１の送信手段と、
前記中継装置からのコンテンツの配信履歴を受信するセンター装置側第１の受信手段と、
前記移動通信端末にユーザ情報を問い合わせるセンター装置側第２の送信手段と、
前記ユーザ情報および前記移動通信端末が前記中継装置から割り振られている中継位置識別情報を受信するセンター装置側第２の受信手段と、
前記配信履歴を集計する集計サーバと、
前記配信履歴と前記利用履歴とを比較し、この比較結果に基づいて前記利用履歴および前記配信履歴に対する課金処理を行い、次いで、集計した前記利用履歴と中継局の前記配信履歴とのマッチング処理を行い、前記利用履歴と前記配信履歴が一致する場合には、配信した各ＣＡＴＶ局に利用したコンテンツに対する課金処理を行い、一致しない場合には、個別に配信履歴および利用履歴の確認を行って課金処理を行う課金手段とを備えたことを特徴とする請求項１または請求項２に記載の移動通信端末認識システムに用いるセンター装置。
【発明の詳細な説明】
【０００１】
【発明の属する技術分野】
本発明は、特定のサービスエリア内にケーブルテレビサービスを提供するケーブルテレビ局から他のサービスエリア内にケーブルテレビサービスを提供するケーブルテレビ局に移動通信端末が移動して、ケーブルテレビサービスの提供を受けた場合でもケーブルテレビ局相互のサービス提供情報を管理することができる移動通信端末認識システム、移動通信端末、中継装置およびセンター装置に関する。
【０００２】
【従来の技術】
従来からケーブルテレビジョンサービス（以下、単にＣＡＴＶという）が普及しつつある。このＣＡＴＶシステムは、難視聴地域や特定地域に対するテレビジョン放送の提供、インターネット等のコンピュータ通信網への接続サービス等が提供される。
【０００３】
このＣＡＴＶのテレビジョン放送の提供内容としては、天気予報、交通情報、イベントの開催、音楽、映画等のコンテンツがあり、ＣＡＴＶ局のサービスエリア内に居住するユーザはＣＡＴＶ局と直接契約して室内に専用回線を引き、この専用回線からコンテンツの提供を受け、コンテンツの内容に応じて課金された料金をＣＡＴＶ局に払い込むようにしている。
【０００４】
【発明が解決しようとする課題】
【０００５】
しかしながら、このような従来のＣＡＴＶサービスにあっては、専用回線を介してＣＡＴＶからコンテンツの提供を受けていたため、例えば、屋外において車両に搭載したＣＡＴＶモバイル端末等の移動通信端末からコンテンツの提供を受けることができなかった。このため、例えば、上述のように車両にＣＡＴＶモバイル端末を搭載しても移動先でＣＡＴＶサービスを受けることができなかった。
【０００６】
また、ＣＡＴＶシステムは、サービスエリア毎に受信者と契約が行なわれるため、他のサービスエリアに移動した場合には、ＣＡＴＶサービスを一切受けることができなかった。
【０００７】
したがって、車両に移動通信端末を搭載して自局のサービスエリア内は勿論のこと他のサービスエリアに移動した場合にでもコンテンツの提供を受けることが望まれている。
【０００８】
本発明は、上記従来の問題を解決するもので、事業者が異なるサービスエリアに移動体が移動した場合であっても、ケーブルテレビジョンサービスに関するコンテンツの提供を受けることができるとともに、ユーザが位置するサービスエリアを簡単に特定してユーザと通信を行なうことができる移動通信端末認識システム、移動通信端末、中継装置およびセンター装置を提供するものである。
【課題を解決するための手段】
【０００９】
本発明の移動通信端末認識システムは、無線によりケーブルテレビサービス回線に接続可能な移動通信端末と、複数のサービスエリア内に設置されたＣＡＴＶ局にそれぞれ設けられ、前記移動通信端末にケーブルテレビジョンサービスに関するコンテンツの配信を行なう中継装置と、前記中継装置と通信を行うとともに前記中継装置を介して前記移動通信端末と通信を行なうセンター装置とを備え、前記移動通信端末は、前記中継装置に対してリクエスト情報およびユーザ情報を送信する端末側第１の送信手段と、前記中継装置から中継位置識別情報を受け取ると、無線通信により前記中継装置に対してコンテンツ要求情報を送信する端末側第２の送信手段と、前記中継装置から配信された前記コンテンツの利用履歴を記憶するメモリと、前記センター装置より前記中継装置の接続局情報と前記ユーザ情報の問い合わせが行われると、前記センター装置に対して現在のサービスエリア内で割り振られている中継位置識別情報と利用履歴およびログインしている前記ユーザ情報を送信する端末側第３の送信手段とを備え、前記中継装置は、前記移動通信端末から前記コンテンツ要求情報を受信する中継装置側受信手段と、前記移動通信端末にコンテンツを配信して、前記コンテンツの配信履歴を記憶するとともに、前記ＣＡＴＶ局との契約により前記ユーザ情報を記憶するサーバと、前記リクエスト情報および前記ユーザ情報を受け付けると、前記中継位置識別情報を前記移動通信端末に送信し、前記移動通信端末から送られてきた前記ユーザ情報と前記サーバ内のユーザ情報とを比較し、この比較結果が有効であるか、または他のＣＡＴＶ局のユーザの識別情報が入力した場合に、前記センター装置に問い合わせて照合が成立すると前記中継位置識別情報を付与して自局のコンテンツを配信する中継装置側第１の送信手段と、前記センター装置から前記コンテンツの配信履歴の問い合わせが行なわれると、前記サーバに記憶された前記配信履歴を前記センター装置に送信する中継装置側第２の送信手段とを備え、前記センター装置は、前記移動通信端末が受け取ったコンテンツの利用履歴を問い合わせるセンター装置側第１の送信手段と、前記中継装置からのコンテンツの配信履歴を受信するセンター装置側第１の受信手段と、前記移動通信端末にユーザ情報を問い合わせるセンター装置側第２の送信手段と、前記ユーザ情報および前記移動通信端末が前記中継装置から割り振られている中継位置識別情報を受信するセンター装置側第２の受信手段と、前記配信履歴を集計する集計サーバと、前記配信履歴と前記利用履歴とを比較し、この比較結果に基づいて前記利用履歴および前記配信履歴に対する課金処理を行い、次いで、集計した前記利用履歴と中継局の前記配信履歴とのマッチング処理を行い、前記利用履歴と前記配信履歴が一致する場合には、配信した各ＣＡＴＶ局に利用したコンテンツに対する課金処理を行い、一致しない場合には、個別に配信履歴および利用履歴の確認を行って課金処理を行う課金手段とを備えたものから構成されている。
【００１０】
このような構成により、移動体が自局と異なる中継装置のサービスエリア内に移動したときに、移動通信端末が無線によって他の中継装置からコンテンツを受信し、中継装置から配信されたコンテンツの配信履歴と移動通信端末で受信した利用履歴を中継装置と移動通信端末でそれぞれ記憶する。そして、センター装置からマルチキャスト通信で各中継装置に配信履歴を問い合わせて各中継装置の配信履歴を集計する。
【００１１】
そして、センター装置により、中継装置から配信されたコンテンツの配信履歴と移動通信端末が受信したコンテンツの利用履歴を照し合わせることができるため、中継装置から実際に配信されたコンテンツと移動通信端末が実際に受信したコンテンツに対する課金を正確に行なうことができ、各中継装置に対して正確な料金の払い込みを行なうことができる。
【００１２】
このため、移動通信端末が他業者のサービスエリアに移動した場合でも、移動後の中継装置からコンテンツを利用することができる上に、センター装置で一括して配信履歴を管理することができる。
【００１３】
また、センター装置から各中継装置に対してマルチキャスト通信によってログインしている移動通信端末のユーザ情報を問い合わせることにより、各中継装置から移動通信端末に割り当てられた個々のサービスエリアにおける中継位置識別情報（例えば、ローカルＩＰ）に関わらずに、他業者のサービスエリアに移動した特定のユーザと通信を行ない、このサービスエリアに設置された中継装置から移動通信装置に配信されたコンテンツの利用履歴を得ることができる。
また、センター装置により、中継装置から配信されたコンテンツの配信履歴と移動通信端末が受信したコンテンツの利用履歴を照し合わせて、その結果が一致しない場合には、中継装置と個別に配信履歴および利用履歴の確認を行なうことができるため、課金漏れが発生した場合でも適切に対処することができる。
【００１４】
また、本発明の移動通信端末認識システムは、前記ユーザ情報は、ＩＣカードまたは磁気カードに書き込まれた個人情報から構成される。
このような構成により、利用者が移動通信端末にログインする際のログイン名を見ることができなくとも、移動通信端末にログインする際にＩＣカードや磁気カードに書き込まれたユーザ情報（ＩＤ）で各サービスエリアにログインすることができるため、ユーザを特定することができ、コンテンツの提供に際しての不正使用を防止することができる。
【００１５】
また、移動通信端末を変えたり、交換した場合にでもＩＣカードや磁気カードに書き込まれたユーザ情報の変更がないため、センター装置はサービスエリアにログインしている特定ユーザから情報収集を行なうことができる。
【００１６】
また、本発明の移動通信端末認識システムに用いる移動通信端末は、前記中継装置に対してリクエスト情報およびユーザ情報を送信する端末側第１の送信手段と、前記中継装置から中継位置識別情報を受け取ると、無線通信により前記中継装置に対してコンテンツ要求情報を送信する端末側第２の送信手段と、前記中継装置から配信された前記コンテンツの利用履歴を記憶するメモリと、前記センター装置より前記中継装置の接続局情報と前記ユーザ情報の問い合わせに対し、前記センター装置に対して現在のサービスエリア内で割り振られている中継位置識別情報と利用履歴およびログインしている前記ユーザ情報を送信する端末側第３の送信手段とを備えたものから構成されている。
【００１７】
このような構成により、移動体が自局と異なる中継装置のサービスエリア内に移動したときに、移動通信端末が無線によって他の中継装置からコンテンツを受信し、中継装置から配信されたコンテンツの配信履歴と移動通信端末で受信した利用履歴を中継装置と移動通信端末でそれぞれ記憶する。そして、センター装置からマルチキャスト通信で各中継装置に配信履歴を問い合わせて各中継装置の配信履歴を集計する。
【００１８】
このため、移動通信端末が他業者のサービスエリアに移動した場合でも、移動後の中継装置からコンテンツを利用することができる上に、センター装置で一括して配信履歴を管理することができる。
【００１９】
また、センター装置から各中継装置に対してマルチキャスト通信によってログインしている移動通信端末のユーザ情報を問い合わせることにより、各中継装置から移動通信端末に割り当てられた中継位置識別情報（例えば、ローカルＩＰ）に関わらずに、他業者のサービスエリアに移動した特定のユーザと通信を行ない、このサービスエリアに設置された中継装置から移動通信装置に配信されたコンテンツの利用履歴を得ることができる。
【００２０】
また、本発明の移動通信端末認識システムに用いる中継装置は、前記移動通信端末から前記コンテンツ要求情報を受信する中継装置側受信手段と、前記移動通信端末にコンテンツを配信して、前記コンテンツの配信履歴を記憶するとともに、前記ＣＡＴＶ局との契約により前記ユーザ情報を記憶するサーバと、前記リクエスト情報および前記ユーザ情報を受け付けると、前記中継位置識別情報を前記移動通信端末に送信し、前記移動通信端末から送られてきた前記ユーザ情報と前記サーバ内のユーザ情報とを比較し、この比較結果が有効であるか、または他のＣＡＴＶ局のユーザの識別情報が入力した場合に、前記センター装置に問い合わせて照合が成立すると前記中継位置識別情報を付与して自局のコンテンツを配信する中継装置側第１の送信手段と、前記センター装置から前記コンテンツの配信履歴の問い合わせが行なわれると、前記サーバに記憶された前記配信履歴を前記センター装置に送信する中継装置側第２の送信手段とを備えたものから構成されている。
【００２１】
このような構成により、移動体が自局と異なる中継装置のサービスエリア内に移動したときに、移動通信端末が無線によって他の中継装置からコンテンツを受信し、中継装置から配信されたコンテンツの配信履歴と移動通信端末で受信した利用履歴を中継装置と移動通信端末でそれぞれ記憶する。そして、センター装置からマルチキャスト通信で各中継装置に配信履歴を問い合わせて各中継装置の配信履歴を集計する。
【００２２】
このため、移動通信端末が他業者のサービスエリアに移動した場合でも、移動後の中継装置からコンテンツを利用することができる上に、センター装置で一括して配信履歴を管理することができる。
【００２３】
また、センター装置から各中継装置に対してマルチキャスト通信によってログインしている移動通信端末のユーザ情報を問い合わせることにより、各中継装置から移動通信端末に割り当てられた中継位置識別情報（例えば、ローカルＩＰ）に関わらずに、他業者のサービスエリアに移動した特定のユーザと通信を行ない、このサービスエリアに設置された中継装置から移動通信装置に配信されたコンテンツの利用履歴を得ることができる。
【００２４】
また、本発明の移動通信端末認識システムに用いるセンター装置は、前記移動通信端末が受け取ったコンテンツの利用履歴を問い合わせるセンター装置側第１の送信手段と、前記中継装置からのコンテンツの配信履歴を受信するセンター装置側第１の受信手段と、前記移動通信端末にユーザ情報を問い合わせるセンター装置側第２の送信手段と、前記ユーザ情報および前記移動通信端末が前記中継装置から割り振られている中継位置識別情報を受信するセンター装置側第２の受信手段と、前記配信履歴を集計する集計サーバと、前記配信履歴と前記利用履歴とを比較し、この比較結果に基づいて前記利用履歴および前記配信履歴に対する課金処理を行い、次いで、集計した前記利用履歴と中継局の前記配信履歴とのマッチング処理を行い、前記利用履歴と前記配信履歴が一致する場合には、配信した各ＣＡＴＶ局に利用したコンテンツに対する課金処理を行い、一致しない場合には、個別に配信履歴および利用履歴の確認を行って課金処理を行う課金手段とを備えたものから構成されている。
【００２５】
このような構成により、移動体が自局と異なる中継装置のサービスエリア内に移動したときに、移動通信端末が無線によって他の中継装置からコンテンツを受信し、中継装置から配信されたコンテンツの配信履歴と移動通信端末で受信した利用履歴を中継装置と移動通信端末でそれぞれ記憶する。そして、センター装置からマルチキャスト通信で各中継装置に配信履歴を問い合わせて各中継装置の配信履歴を集計する。
【００２６】
このため、移動通信端末が他業者のサービスエリアに移動した場合でも、移動後の中継装置からコンテンツを利用することができる上に、センター装置で一括して配信履歴を管理することができる。
【００２７】
また、センター装置から各中継装置に対してマルチキャスト通信によってログインしている移動通信端末のユーザ情報を問い合わせることにより、各中継装置から移動通信端末に割り当てられた中継位置識別情報（例えば、ローカルＩＰ）に関わらずに、他業者のサービスエリアに移動した特定のユーザと通信を行ない、このサービスエリアに設置された中継装置から移動通信装置に配信されたコンテンツの利用履歴を得ることができる。
【００２８】
また、センター装置により、中継装置から配信されたコンテンツの配信履歴と移動通信端末が受信したコンテンツの利用履歴を照し合わせることができるため、中継装置から実際に配信されたコンテンツと移動通信端末が実際に受信したコンテンツに対する課金を正確に行なうことができ、各中継装置に対して正確な料金の払い込みを行なうことができる。
【００２９】
また、センター装置により、中継装置から配信されたコンテンツの配信履歴と移動通信端末が受信したコンテンツの利用履歴を照らし合わせて、その結果が一致しない場合には、中継装置と個別に配信履歴および利用履歴の確認を行なうことができるため、課金漏れが発生した場合でも適切に対処することができる。
【００３０】
【発明の実施の形態】
以下、本発明の実施の形態に基づいて説明する。
図１〜図４は本発明に係る移動通信端末認識システム、移動通信端末、中継装置およびセンター装置の一実施の形態を示す図である。
【００３１】
まず、構成を説明する。図１、図２は移動通信端末認識システムを示す図であり、移動通信端末認識システム１は加入局（センター装置）２、加入局２によって管理され、ケーブルテレビジョンサービスに関連するコンテンツを提供するＣＡＴＶ局３、４、および車両（移動体）５に搭載され、ＣＡＴＶ局３、４からコンテンツの配信を受けるＣＡＴＶモバイル端末（移動通信端末）６を備えている。
【００３２】
なお、図１にはＣＡＴＶ局３、４として、ＣＡＴＶ局Ａ、Ｂの２局のみを示しているが、ＣＡＴＶ局は３局以上設置されており、説明の便宜上、２局のみを図示している。
【００３３】
ここで、後述するＣＡＴＶ局３内の画像を受けるＣＳチューナ24、34、この画像を圧縮するエムペグエンコーダ（ＭＰＥＧエンコーダ）23、33、ＣＡＴＶ配信の形式に変調する６４カムモジュレータ（６４ＱＡＭ  ＭＯＤ）22、32はＣＡＴＶ映像送出装置45、46を形成する。
【００３４】
ここでＣＳチューナ24、34はビデオテープ・光ディスクなどの画像でも良い。
【００３５】
また、図１において、ＣＡＴＶ局３、４はケーブルテレビジョンサービス回線としての多数の無線送受信機３ａ、４ａを備えており、この無線送受信機３ａ、４ａをサービスエリア内に設置することにより、各ＣＡＴＶ局３、４のサービスエリアにコンテンツ（音楽、映画、ニュース、天気予報、バラエティー番組）を配信可能になっている。
【００３６】
ここで、この無線送受信機にはミリ波帯光ファイバ無線伝送システム（ＲＯＦ）を用いるのが好ましい。
【００３７】
ＣＡＴＶモバイル端末６は、移動局用送受信端装置10、デジタル・セット・トップ・ボックス（Ｄ−ＳＴＢ）11、ＩＣカードリーダ（読み取り手段）12、ケーブルモデム13、ＣＰＵ部14、ディスプレイ15、およびメモリ16から構成されている。
【００３８】
移動局用送受信端装置10はＣＡＴＶ局３、４のサービスエリアに入ったときに無線送受信機３ａ、４ａとの間で無線通信を行なうようになっており、Ｄ−ＳＴＢ11は無線送受信機３ａ、４ａの間で双方向通信を行なうようになっている。
【００３９】
ＩＣカードリーダ12はユーザ情報であるＩＤや課金履歴、銀行口座番号、住所等を読み取るようになっており、このユーザ情報はＤ−ＳＴＢ11から移動局用送受信端装置10を介して無線送受信機３ａまたは４ａに送信される。
【００４０】
ケーブルモデム13は移動局用送受信端装置10を介して受信したコンテンツを復調するようになっており、このコンテンツはディスプレイ15によって再生されるようになっている。
【００４１】
また、ノートパソコン等のＣＰＵ部14はＣＡＴＶモバイル端末６全体を制御すると共に各種ＩＰサービスを提供するものであり、ＩＣカードリーダ12によってＩＣカードの読み取りを指令してユーザ情報の送出を行なうようになっている。
【００４２】
ここで、Ｄ−ＳＴＢ11は、受信したデジタル信号の所定のチャンネルを選択し、画像信号などに変換し、ＩＣカードから得られたユーザ情報により、配信の可否、課金情報を作るものである。
【００４３】
また、ＣＰＵ部14はＣＡＴＶ局３または４のサービスエリア内に移動したときに、このサービスエリア内のＣＡＴＶ局３または４に対してリクエスト情報およびＩＣカードリーダ12で読み取ったユーザ情報をＤ−ＳＴＢ11から移動局用送受信端装置10を介して無線送受信機３ａまたは４ａに送信するようになっており、移動局用送受信端装置10およびＤ−ＳＴＢ11と共に端末側第１の送信手段を構成している。
【００４４】
また、ＣＰＵ部14はＣＡＴＶ局３または４から受信したＣＡＴＶ局識別情報（ＣＡＴＶ局３または４から割り当てられた中継位置識別情報としてのローカルＩＰ）を移動局用送受信端装置10を介してＤ−ＳＴＢ11が、このローカルＩＰをメモリ16に記憶するようになっている。
【００４５】
また、ＣＰＵ部14は移動局用送受信端装置10がローカルＩＰを受信したときにローカルＩＰが割り当てられたＣＡＴＶ局３または４に対してコンテンツ要求情報、すなわち、映画、音楽、ニュース等のどのコンテンツが必要なのかを要求信号をＤ−ＳＴＢ11を介して移動局用送受信端装置10を介して送信し、Ｄ−ＳＴＢ11および移動局用送受信端装置10は端末側第２の送信手段を構成している。
【００４６】
また、ＣＰＵ部14はＣＡＴＶ局３または４から移動局用送受信端装置10を介してＤ−ＳＴＢ11にコンテンツが入力されると、このコンテンツをディスプレイ15に出力するようになっている。
【００４７】
また、メモリ16はＣＰＵ部14からの指令により、ＣＡＴＶ局３または４から受信されたコンテンツの履歴情報として利用履歴を記憶するようになっており、記憶手段を構成している。
【００４８】
また、ＣＰＵ部14は、加入局２からＣＡＴＶ局３、４を介してマルチキャスト通信によってユーザ情報の問い合わせがある場合に、加入局２に対して現在位置しているサービスエリア内で割り振られているローカルＩＰと共にメモリ16に記憶された利用履歴、現在サービス提供を受けている接続局情報およびユーザ情報を移動局用送受信端装置10から送信するようになっており、移動局用送受信端装置10と共に端末側第３の送信手段を構成している。
【００４９】
一方、ＣＡＴＶ局３、４はＲＦ（Radio Frequency）多重21、31、６４ＱＡＭＭＯＤ22、32、ＭＰＥＧエンコーダ23、33、ＣＳチューナ24、34、（ＣＡＴＶ映像送出装置45、46）、Ｗｅｂサーバ25、35、動画サーバ26、36、操作端末27、37、加入者認証サーバ28、38、ケーブルモデムセンター29、39およびプロキシＤＨＣＰ30、40から構成される。
【００５０】
ＲＦ多重21、23は無線送受信機３ａ、４ａを介してＣＡＴＶモバイル端末６と無線通信を確立するものである。６４ＱＡＭＭＯＤ22、32はＭＰＥＧエンコーダ23、33から送信されるＭＰＥＧ映像のデータの振幅および移送を変換するようになっている。ＭＰＥＧエンコーダ23、33はＭＰＥＧ映像を再生するものであり、ＣＳチューナ24、34からのＢＳ受信も可能になっている。
【００５１】
Ｗｅｂサーバ25、35はインターネットに接続可能であり、インターネットを介して種々のコンテンツの配信、取得を行なう。動画サーバ26、36は映画、音楽、天気予報、ニュース等の動画データのコンテンツの配信を行なうようになっている。操作端末27、37はＣＡＴＶ局３、４の種々の装置を操作するものである。
【００５２】
加入者認証サーバ28、38には、契約されたユーザのＩＤ等の種々の情報が記憶されており、ＣＡＴＶモバイル端末６から入力されたユーザ情報（ＩＤ）と記憶されたＩＤとを比較し、比較結果が有効な場合にユーザにコンテンツの配信サービスを提供したり、他局契約のユーザの識別情報が入力した場合に、加入局に問い合わせ、照合に成功した場合にローカルＩＰを付与し、自局サービスを提供するようになっている。
【００５３】
プロキシＤＨＣＰ30、40はユーザの起動時に動的にＩＰを割り当て、終了時にＩＰを回収するようになっている。また、ＣＡＴＶモバイル端末６からローカルＩＰリクエスト情報の要求があったときにＣＡＴＶモバイル端末６に対してローカルＩＰを割り当てるようになっている。
【００５４】
ケーブルモデムセンター29、39はユーザの固定端末装置やＣＡＴＶモバイル端末６とＣＡＴＶ局３、４に対してＣＡＴＶ回線を通じてインターネットアクセス等のデータの通信を行なったり、ユーザの固定端末装置やＣＡＴＶモバイル端末６にコンテンツを高速にＩＰ伝送するようになっている。また、利用者端末とＣＡＴＶ局内設備はセキュリティ強化のため、別ネットワークセグメントとしており、これらのネットワーク間を安全に接続する役割を持つ。
【００５５】
本実施の形態では、無線送受信機３ａ、４ａがＣＡＴＶモバイル端末６から無線通信によりローカルＩＰリクエスト情報およびユーザ情報を受信するようになっている。
【００５６】
また、無線送受信機３ａ、４ａがローカルＩＰリクエスト情報およびユーザ情報を受信すると、プロシキＤＨＣＰ30、40がＣＡＴＶモバイル端末６にローカルＩＰを割り当て、このローカルＩＰを無線送受信機３ａ、４ａからＣＡＴＶモバイル端末６に送信するようになっており、無線送受信機３ａ、４ａおよびプロシキＤＨＣＰ30、40が中継装置側第１の送信手段を構成している。
【００５７】
また、無線送受信機３ａ、４ａはＣＡＴＶモバイル端末６からコンテンツ要求情報を受信する中継装置側受信手段を構成している。
また、無線送受信機３ａ、４ａがコンテンツ要求情報を受信すると、動画サーバ26、36やＷｅｂサーバ25、35からＣＡＴＶモバイル端末６にコンテンツを配信するようになっており、無線送受信機３ａ、４ａ、動画サーバ26、36およびＷｅｂサーバ25、35は配信手段を構成している。
【００５８】
また、動画サーバ26、36やＷｅｂサーバ25、35はＣＡＴＶモバイル端末６にコンテンツを配信したときに、そのコンテンツの配信履歴を記憶するようになっており、動画サーバ26、36およびＷｅｂサーバ25、35は記憶手段を構成している。
【００５９】
また、プロキシＤＨＣＰ30、40はインターネットや専用線を介して加入局２に接続されており、加入局２からのマルチキャスト通信によってコンテンツの配信履歴の問い合わせが行なわれると、動画サーバ26、36やＷｅｂサーバ25、35に記憶されたコンテンツの配信履歴を加入局２に送信するようになっている。本実施の形態では、プロキシＤＨＣＰ30、40が中継装置側第２の送信手段を構成している。
【００６０】
また、加入者認証サーバ28、38はモバイル端末からの認証要求に対して、自局加入者情報との照合を行う。他局ユーザと判断された場合、加入局に対してＩＰ通信による問い合わせを行い、加入局にて認証を受ける事ができれば、自局でのサービスを許可するようになっている。
【００６１】
また、加入者認証サーバ28、38はサービスエリア内に位置するＣＡＴＶモバイル端末６と通信を行なう場合に、１回目の通信時にサービスエリア内に設置されたＣＡＴＶ局３、４から割り当てられたローカルＩＰを用いるようになっている。
【００６２】
一方、加入局２は送受信装置41、認証サーバ42、集計サーバ43および課金手段44を備えている。
【００６３】
送受信装置41はＣＡＴＶ局３、４にインターネットまたは専用線によって接続されており、ＩＰ通信によってＣＡＴＶ局３、４からＣＡＴＶモバイル端末６に対して配信されたコンテンツの配信履歴を問い合わせるようになっている。また、送受信装置41はＣＡＴＶ局３、４からのコンテンツの配信履歴を受信するようになっている。本実施の形態では、送受信装置41がセンター装置側第１の受信手段およびセンター装置側第１の送信手段を構成している。
【００６４】
集計サーバ43は送受信装置41を通してＣＡＴＶ局３、４から受信した配信履歴およびＣＡＴＶ局３、４から送受信装置41を通して受信されたＣＡＴＶモバイル端末６の利用履歴を集計するようになっており、集計手段を構成している。
【００６５】
認証サーバ42は、ＣＡＴＶ局３、４に対して契約されたユーザのＩＤ等の種々の情報が記憶されており、ＣＡＴＶモバイル端末６から入力されたユーザ情報（ＩＤ）と記憶されたＩＤとを比較してＣＡＴＶ局３、４とユーザの契約を認証するようになっている。
【００６６】
また、認証サーバ42は送受信装置41を通してＣＡＴＶ局３、４に対し、ＣＡＴＶ局３、４のサービスエリア内にログインしているＣＡＴＶモバイル端末６のユーザ情報を問い合わせるようになっており、送受信装置41と共にセンター装置側第２の送信手段を構成している。
【００６７】
また、送受信装置41にＣＡＴＶモバイル端末６から応答があった場合に、集計サーバ43にＣＡＴＶモバイル端末６から利用履歴が入力されるとともに、認証サーバ42にＣＡＴＶモバイル端末６の現在のサービスエリア内で割り振られているローカルＩＰとユーザ情報および現在サービスを受けている接続局情報が入力されるようになっており、認証サーバ42および集計サーバ43はセンター装置側第２の受信手段を構成している。
【００６８】
また、課金手段44は集計サーバ43で集計した配信履歴とＣＡＴＶモバイル端末６の履歴情報として利用履歴を比較し、この比較結果に基づいて利用履歴および配信履歴に対する課金処理を実行するようになっており、課金手段を構成している。なお、この課金は加入局およびＣＡＴＶ局３、４毎の配信履歴に応じて行なわれる。加入局は、他局利用分を含めた使用量をユーザに対して請求を行う。その後、加入局は各ＣＡＴＶ局３、４に対して使用料を支払う。
【００６９】
次に、図３、図４に基づいて移動通信端末認識方法の手順を説明する。
図３において、まず、ＣＡＴＶモバイル端末６を搭載したユーザＡの車両５がＣＡＴＶ局３（以下、ＣＡＴＶ−Ａという）に移動した場合には、ＣＡＴＶモバイル端末６がＩＣカードリーダ12で読み取ったＩＤと共に、ローカルＩＰのリクエスト要求をＣＡＴＶ−Ａに対して行なう。
【００７０】
ＣＡＴＶ−Ａは加入者認証サーバ28に記憶されたユーザの識別情報とＣＡＴＶモバイル端末６から送信されるユーザ情報を比較し、比較結果が一致しない場合に自局で契約が行なわれていないユーザであると判断して、加入局へ問い合わせを行い、加入局側での照合に成功した場合、ＣＡＴＶモバイル端末６に対してローカルＩＰ（例えば、１９２．１６７．１．１００）を付与し、サービスを開始する。
【００７１】
次いで、ＣＡＴＶモバイル端末６からＣＡＴＶ−Ａに有料コンテンツのリクエスト、例えば、映画のコンテンツ要求情報が送信されると、ＣＡＴＶ−ＡはＣＡＴＶモバイル端末６に対して映画を配信する。このとき、コンテンツの配信履歴をデータベース（ＤＢ）である動画サーバ26に記憶する。
【００７２】
また、ＣＡＴＶモバイル端末６を搭載したユーザＡの車両５がＣＡＴＶ局４（以下、ＣＡＴＶ−Ｂという）に移動した場合には、ＣＡＴＶモバイル端末６がＩＣカードリーダ12で読み取ったＩＤと共に、ローカルＩＰのリクエスト要求をＣＡＴＶ−Ｂに対して行なう。
【００７３】
ＣＡＴＶ−Ｂは加入者認証サーバ38に記憶されたユーザの識別情報とＣＡＴＶモバイル端末６から送信されるユーザ情報を比較し、比較結果が一致しない場合に自局で契約が行なわれていないユーザであると判断して、ＣＡＴＶモバイル端末６に対してローカルＩＰ（例えば、１９２．１６８．２．１００）を付与する。
【００７４】
次いで、ＣＡＴＶモバイル端末６からＣＡＴＶ−Ｂに有料コンテンツのリクエスト、例えば、ニュースのコンテンツ要求情報が送信されると、ＣＡＴＶ−ＢはＣＡＴＶモバイル端末６に対してニュースを配信する。このとき、コンテンツの配信履歴をデータベース（ＤＢ）である動画サーバ36に記憶する。
【００７５】
次いで、精算処理のタイミングで加入局２の送受信装置41からＩＰ通信により、ＣＡＴＶ−Ａ、ＣＡＴＶ−Ｂおよび他のローカルエリアに設置されたＣＡＴＶ局に対して利用履歴の確認を行なう。
【００７６】
ＣＡＴＶ−Ａ、ＣＡＴＶ−Ｂおよび他のＣＡＴＶ局は動画サーバ26、36に配信履歴がある場合には、利用情報として配信履歴を加入局２に送信し、配信履歴が無い場合には応答しない。
【００７７】
加入局２は集計サーバ43に配信履歴を集計した後、送受信装置41からマルチキャスト通信によりＣＡＴＶ−Ａ、ＣＡＴＶ−Ｂおよび他のＣＡＴＶ局設備を経由してＣＡＴＶモバイル端末６の応答リクエストを行なう。このログイン要求は、図４に示すように「○○さん（この場合はＡさん）利用履歴の応答をお願いします」というようにログインユーザ名をキーとした情報要求を流す。このとき、任意のＣＡＴＶ局のサービスエリアにＣＡＴＶモバイル端末６がログインしている場合には、加入局２に応答メッセージを返す。この応答メッセージは図４に示すように「○○です（この場合はＡです）ファイル（利用履歴）を送ります」というものであり、ＣＡＴＶモバイル端末６はＩＣカードに書き込まれたＩＤと共に現在ログインしているローカルＩＰ、利用履歴、また、必要ならばログインしている局の識別情報を加入局に送信する。
【００７８】
この利用履歴は加入局２の集計サーバ43によって集計され、局側の持つ配信履歴と端末側の持つ利用履歴のマッチング処理が行なわれる。集計サーバで43は配信履歴と利用履歴が一致する場合には、利用したコンテンツに対する課金を行なってＣＡＴＶ−Ａ、ＣＡＴＶ−Ｂおよび他のＣＡＴＶ局に利用したコンテンツに対して清算処理を実施する。また、本実施の形態では、集計サーバ43も課金手段を構成している。
【００７９】
また、集計サーバで43は配信履歴と利用履歴が一致しない場合には、電子メール等でＣＡＴＶモバイル端末６に問い合わせメッセージを送信し、ＣＡＴＶモバイル端末６から加入局２に確認メッセージが返信されると、この内容から確認が取れた場合には、利用請求を行ない、確認がとれない場合には、一致していない利用履歴と配信履歴の確認作業を行なう。
【００８０】
そして、利用請求の処理が終了した場合には、加入局２からＣＡＴＶモバイル端末６に対して、各ＣＡＴＶで割り当てられたローカルＩＰアドレスによって清算終了通知が行なわれる。加入局とＣＡＴＶモバイル端末６の通信は２回目以降今回取得したローカルＩＰアドレスによってＣＡＴＶ局と通信を行なう。
【００８１】
このように本実施の形態では、車両５が自局と異なるＣＡＴＶ局３、４のサービスエリア内に移動したときに、ＣＡＴＶ局３、４からＣＡＴＶモバイル端末６が無線によってコンテンツを受信し、ＣＡＴＶ局３、４から配信されたコンテンツの配信履歴とＣＡＴＶモバイル端末６で受信した利用履歴をＣＡＴＶ局３、４とＣＡＴＶモバイル端末６でそれぞれ記憶する。そして、加入局２からＩＰ通信で各ＣＡＴＶ局３、４に配信履歴を問い合わせて各ＣＡＴＶ局３、４の配信履歴を集計するようにしたため、ＣＡＴＶモバイル端末６が他業者のサービスエリアに移動した場合でも、移動後のＣＡＴＶ局３、４からコンテンツを利用することができる上に、加入局２で一括して配信履歴を管理することができる。
【００８２】
また、加入局２から各ＣＡＴＶ局３、４に対してマルチキャスト通信によってログインしているＣＡＴＶモバイル端末６のユーザ情報（ＩＤ）を問い合わせることにより、各ＣＡＴＶ局３、４からＣＡＴＶモバイル端末６に割り当てられたローカルＩＰに関わらずに、他業者のサービスエリアに移動した特定のユーザと通信を行ない、このサービスエリアに設置されたＣＡＴＶ局３、４からＣＡＴＶモバイル端末６に配信されたコンテンツの利用履歴を得ることができる。
【００８３】
また、加入局２に対して、ＣＡＴＶモバイル端末６から現在のサービスエリア情報および、割り振られているＣＡＴＶ局３、４のローカルＩＰと共に利用履歴やＩＤ等のユーザ情報が送信されたとき、加入局２で集計した配信履歴と利用情報を比較し、この比較結果に基づいて配信履歴および利用履歴に対する課金処理を実行するようにしたため、ＣＡＴＶ局３、４から実際に配信されたコンテンツとＣＡＴＶモバイル端末６が実際に受信したコンテンツに対する課金を正確に行なうことができ、各ＣＡＴＶ局３、４に対して正確な料金の払い込みを行なうことができる。
【００８４】
また、加入局２により、ＣＡＴＶ局３、４から配信されたコンテンツの配信履歴とＣＡＴＶモバイル端末６が受信したコンテンツの利用履歴を照し合わせて、その結果が一致しない場合には、ＣＡＴＶ局３、４と個別に配信履歴および利用履歴の確認を行なうことができるため、課金漏れが発生した場合でも適切に対処することができる。
【００８５】
また、本実施の形態では、ユーザ情報をＩＣカードに書き込まれた個人情報から構成したため、利用者がＣＡＴＶモバイル端末６にログインする際のログイン名を見ることができなくとも、ＣＡＴＶモバイル端末６にログインする際にＩＣカードに書き込まれたユーザ情報（ＩＤ）で各サービスエリアにログインすることができるため、ユーザを特定することができ、コンテンツの提供に際しての不正使用を防止することができる。なお、ユーザ情報は磁気カードに書き込まれても良い。
【００８６】
また、ＣＡＴＶモバイル端末６を変えたり、交換した場合にでもＩＣカードに書き込まれたユーザ情報の変更がないため、加入局２はサービスエリアにログインしている特定ユーザから情報収集を行なうことができる。なお、端末を利用するユーザが替わった時点で、それまでに蓄積した情報は、加入局側に送信される仕組みを持つ。
【００８７】
また、本実施の形態では、ＣＡＴＶ局３、４と通信を行なう場合に、ＣＡＴＶ局３、４から割り当てられたローカルＩＰを用いるようにしたため、加入局２からマルチキャスト通信でＣＡＴＶ局３、４に配信履歴を問い合わせたり、ＣＡＴＶモバイル端末６に利用履歴を問い合わせる場合に、１回目に各サービスエリア内にログインしたときにＣＡＴＶ局３、４から割り当てられたローカルＩＰを用いることにより、２回目以降の通信に際しては、同じローカルＩＰを用いることができ、マルチキャストによる無駄なパケットを省くことができる。
【００８８】
また、端末から返信される情報は、利用履歴以外のデータも返送可能なものとする。
【発明の効果】
【００８９】
本発明によれば、異なるサービスエリアに移動体が移動した場合であっても、ケーブルテレビジョンサービスに関するコンテンツの提供を受けることができるとともに、ユーザが位置するサービスエリアを簡単に特定してユーザと通信を行なうことができる移動通信端末認識システム、移動通信端末、中継装置およびセンター装置を提供することができる。
【００９０】
また、応答情報は利用履歴に限られる訳ではない。それ以外の利用方法としては位置情報や車両情報・加入局情報・メッセージ・端末情報・接続先局情報などの応答とする事ができる。また、応答メッセージ中の中継位置識別情報から、現在利用者が利用しているＣＡＴＶ業者が判別できる。
【図面の簡単な説明】
【００９１】
【図１】  本発明に係る移動通信端末認識システム、移動通信端末、中継装置およびセンター装置の一実施の形態のシステム構成図
【図２】  本発明に係る移動通信端末認識システム、移動通信端末、中継装置およびセンター装置の一実施の形態の移動通信端末、中継装置およびセンター装置のブロック図
【図３】  本発明に係る移動通信端末認識システム、移動通信端末、中継装置およびセンター装置の一実施の形態の移動通信端末認識手順を示す図
【図４】  本発明に係る移動通信端末認識システム、移動通信端末、中継装置およびセンター装置の一実施の形態の情報要求と応答メッセージの流れを示す図
【符号の説明】
【００９２】
２    加入局（センター装置）
３、４    ＣＡＴＶ局（中継装置）
３ａ、４ａ    無線送受信機（中継装置側受信手段、中継装置側第１の送信手段、中継装置側第２の受信手段、配信手段）
５    車両（移動体）
６    ＣＡＴＶモバイル端末（移動通信端末）
10    移動局用送受信端装置（端末側第１の送信手段、端末側第２の送信手段、端末側第３の送信手段）
11    Ｄ−ＳＴＢ（端末側第１の送信手段、端末側第２の送信手段、端末側第３の送信手段）
14    ＣＰＵ部（端末側第１の送信手段、端末側第２の送信手段、端末側第３の送信手段）
16    メモリ
30、40    プロシキＤＨＣＰ（中継装置側第１の送信手段、中継装置側第２の送信手段）
25、35    Ｗｅｂサーバ
26、36    動画サーバ
28、38    加入者認証サーバ
41    送受信装置（センター装置側第１の送信手段、センター装置側第１の送信手段、センター装置側第２の受信手段、センター装置側第２の送信手段）
42    認証サーバ（センター装置側第１の送信手段、センター装置側第２の送信手段、センター装置側第２の受信手段）
43    集計サーバ（センター装置側第２の受信手段、課金手段）
44    課金手段
45、46   ＣＡＴＶ映像送出装置
【図１】
0003776363.tif 000002
【図２】
0003776363.tif 000003
【図３】
0003776363.tif 000004
【図４】
0003776363.tif 000005